(57)【要約】  【課題】  安全帯のフックを吊りボルトに掛けることを可能にする掛止器具を提供する。  【解決手段】  吊りボルトに着脱自在に係止させることが可能で、且つフックを掛止させ得る掛止器具であって、枢軸により開閉自在に枢着された２枚の板体と、閉じられた状態の２枚の板体が開かないように回動を規制する回動規制手段とを備え、２枚の板体には回動規制手段により回動を規制された状態でフックを掛止し得るようにそれぞれに穴が形成され、２枚の板体は閉じられたときに吊りボルトに螺合し得る雌ねじを構成するように、それぞれねじ山が刻設された凹溝を備える。【選択図】  図１
2005351399.tif 000002
【特許請求の範囲】
【請求項１】
ねじ山が形成された軸部材に着脱自在に係止させることが可能であり、且つフックを掛止させ得る掛止器具であって、枢軸により開閉自在に枢着された２枚の板体と、閉じられた状態の前記２枚の板体が開かないように回動を規制する回動規制手段とを備え、前記２枚の板体には前記回動規制手段により回動を規制された状態でフックを掛止し得るように穴がそれぞれ形成され、前記２枚の板体は閉じられたときに前記軸部材に螺合し得る雌ねじを構成するように、ねじ山がそれぞれ刻設された凹溝を備えることを特徴とする掛止器具。
【請求項２】
前記回動規制手段は、前記２枚の板体を両側から挟む板状挟持部を有し、該板状挟持部は前記２枚の板体の何れか一方に枢着され、該板状挟持部にはフックを掛止させるためのフック掛止穴が形成され、該板状挟持部が前記２枚の板体の回動を規制すべく配置されたときに、該フック掛止穴に前記２枚の板体の穴と共にフックが掛止され得るものである請求項１に記載の掛止器具。
【発明の詳細な説明】
【技術分野】
【０００１】
本発明は、ねじ山が形成された軸部材にフックを一時的に掛止させるため、軸部材とフックとの間に介在させる掛止器具に関する。
【背景技術】
【０００２】
近年、建設工事において、室内作業の足場からの転倒による事故が後を絶たずに発生している。室内作業で足場を使用するものとしては、例えば、間仕切壁工事、天井に絡む電気・設備工事並びに建築仕上げ工事が挙げられる。これら室内作業では、構造物の外周に足場を設けて行なう工事と比較して、足場が床から低い位置に設けられるため安心感があり、安全に対する意識が薄れてしまうところに、事故発生の原因の一端があるものと思われる。また構造物の規模にもよるが、室内作業では設備的に軽便である脚立あるいは脚立足場を利用することが多く、この場合、床からの高さが２ｍ以下であるため安全帯の使用と手摺の取り付けは法令上義務付けられていない。当然ながら、多くの室内作業現場には、安全帯のフックを掛ける命綱のようなものは用意されていない。したがって、上向きの作業中に足場を踏み外した場合には、転落してしまい、けがをする可能性が高く、打ち所が悪ければ死亡事故にもつながりかねない。
【０００３】
室内作業現場では、多くの場合、天井から吊りボルトが吊り下げられている。この吊りボルトは、天井に絡む電気・設備工事並びに建築仕上げ工事において、ケーブル、ダクト或いは天井仕上材などを支持するものであるが、もし仮に、吊りボルトに安全帯のフックを掛けることが可能であれば、これを利用する作業員が多少なりとも増加し、事故の減少につなげられるものと思われる。
【発明の開示】
【発明が解決しようとする課題】
【０００４】
本発明は上記問題点を解決するものであり、その課題は、安全帯のフックを吊りボルトに掛けることを可能にし、且つ吊りボルトのねじ切部に損傷を与えない掛止器具を提供することである。
【課題を解決するための手段】
【０００５】
本発明では、ねじ山が形成された軸部材に着脱自在に係止させることが可能であり、且つフックを掛止させ得る掛止器具であって、枢軸により開閉自在に枢着された２枚の板体と、閉じられた状態の前記２枚の板体が開かないように回動を規制する回動規制手段とを備え、前記２枚の板体には前記回動規制手段により回動を規制された状態でフックを掛止し得るように穴がそれぞれ形成され、前記２枚の板体は閉じられたときに前記軸部材に螺合し得る雌ねじを構成するように、ねじ山がそれぞれ刻設された凹溝を備えることを特徴とする掛止器具が提供される。
本発明の掛止器具を吊りボルトに取り付ける場合、回動規制手段を解除して２枚の板体を開き、一方の板体の凹溝を軸部材に当接させ、他方の板体を回動させて閉じ、２枚の板体で構成された雌ねじを軸部材のねじ山に螺合させる。このように２枚の板体を閉じた後に、回動規制手段を操作して２枚の板体が回動しないように規制し、板体が開かないようにする。これにより、２枚の板体の穴にはフックを掛止させることが可能になる。一方、本発明の掛止器具を吊りボルトから取り外す場合には、板体の穴からフックを外し、回動規制手段を解除すれば、２枚の板体は回動して開いた状態になり、吊りボルトから取り外すことができる。
【０００６】
本発明の掛止器具では、前記回動規制手段は、前記２枚の板体を両側から挟む板状挟持部を有し、該板状挟持部は前記２枚の板体の何れか一方に枢着され、該板状挟持部にはフックを掛止させるためのフック掛止穴が形成され、該板状挟持部が前記２枚の板体の回動を規制すべく配置されたときに、該フック掛止穴には前記２枚の板体の穴と共にフックが掛止され得るように構成することが好ましい。
以上の回動規制手段では、板状挟持部を回動させて２枚の板体を両側から挟むように配置すると、２枚の板体は回動が規制される。そして、板状挟持部のフック掛止穴と２枚の板体の穴とにフックを挿通させれば、フックが回動規制手段自体の回動を規制するので、掛止器具は吊りボルトから脱落することなく固定される。
【発明の効果】
【０００７】
本発明の掛止器具は、吊りボルトに着脱自在に係止させることが可能であり、同時に安全帯のフックを掛けることも可能であるため、これを使用すれば安全帯を吊りボルトに固定することができて、たとえ、室内の上向きの作業中に足場を踏み外したとしても、安全帯から掛止器具を介して吊りボルトに支持力を確保することができ、転落事故を防止することが可能になる。
【発明を実施するための最良の形態】
【０００８】
以下、図面を参照して本発明について説明するが、本発明はこれに限定されるものではない。
図１は施工現場における本発明の掛止器具１０の使用状況を示した簡略図である。この施工現場では、複数の吊りボルト３０が天井３１から吊り下げられ、作業員３２，３３は脚立足場３４や脚立３５の上で作業を行なっている。作業員３２，３３はそれぞれ安全帯を着用しており、安全帯から延びるロープ３６の先端にはフック３７（図２）が設けられている。本発明の掛止器具１０は、図２に示したように、天井から吊り下げられている吊りボルト３０に係止させるものであり、この掛止器具１０には安全帯のフック３７が掛止される。
【０００９】
図３は、図２の掛止器具１０を吊りボルト３０から取り外し、これを開いた状態の図であり、図４は開いた状態の掛止器具１０を上方から見た図であり、図５は閉じた状態の掛止器具１０を上方から見た図である。
掛止器具１０は、図３に示したように、２枚の金属製プレート１１，１２が枢軸１３により開閉自在に枢着され、これら金属製プレート１２には回動規制部材１４がピン１５により枢着されている。２枚の金属製プレート１１，１２には、図４に示したように断面形状がほぼ半円形の溝１１ａ，１２ａが形成されており、この溝１１ａ，１２ａの内面にはねじ山１１ｂ，１２ｂ（図３）が刻まれている。これら溝１１ａ，１２ａは、枢軸１３にほぼ平行な配置で、且つ枢軸１３を挟んで対象位置に設けられているため、図５に示したように、２枚の金属製プレート１１，１２を閉じたときには、断面形状がほぼ円形の貫通孔となり、これにより雌ねじ１６が構成される。また金属製プレート１１，１２には、枢軸１３を挟んで対象位置にフック掛止穴１１ｃ，１２ｃが設けられ、２枚の金属製プレート１１，１２を閉じたときには、重ね合わされて、ひとつのフック掛止穴となる。
【００１０】
次に、回動規制部材１４は、一対の板状挟持部１４ａ，１４ｂが連結部１４ｃにより一体にされることで、ほぼ平行に配置されており、この板状挟持部１４ａ，１４ｂ間の隙間は、図５のように、閉じた状態の金属製プレート１１，１２が挿入できるような寸法に設定されている。一方の板状挟持部１４ａは、他方の板状挟持部１４ｂよりも若干大きめに形成されており、この若干大きく形成された部分にピン１５が通されて金属製プレート１２に枢着され、これにより回動規制部材１４は一点鎖線の矢印Ａ（図３）のように回動し得るようになっている。また板状挟持部１４ａ，１４ｂには対向位置に穴１４ｄが形成されており、この穴１４ｄは、金属製プレート１１，１２が閉じたときに、フック掛止穴１１ｃ，１２ｃと重なり合うように配置されている。したがって、図２及び図５のように２枚の金属製プレート１１，１２が閉じて、その回動が回動規制部材１４で規制されたときには、これら穴１１ｃ，１２ｃ，１４ｄが重なり合って、一つのフック掛止穴が形成される。
【００１１】
本発明の掛止器具１０の操作方法について説明する。
図２のようにフック３７が掛止された掛止器具１０を吊りボルト３０から取り外すためには、最初に、フック掛止穴１１ｃ，１２ｃ，１４ｄからフック３７を抜き取り、回動規制部材１４をピン１５回りに回動させると、板状挟持部１４ａ，１４ｂ間に挟持された金属製プレート１１，１２は回動可能な状態になる。金属製プレート１１，１２を枢軸１３回りに回動させて開けば、掛止器具１０は吊りボルト３０から取り外し可能になる。
【００１２】
逆に、掛止器具１０を吊りボルト３０に取り付ける場合には、最初に、回動規制部材１４を回動させて金属製プレート１１，１２の回動規制を解除し、図３のように金属製プレート１１，１２を開いた状態にし、金属製プレート１１，１２の一方のねじ溝１１ａ，１２ａを吊りボルト３０に螺合させて、金属製プレート１１，１２を回動させて閉じる。金属製プレート１１，１２を重ね合わせた後に、回動規制部材１４を回動させ、その板状挟持部１４ａ，１４ｂで金属製プレート１１，１２を挟めば、金属製プレート１１，１２は枢軸１３回りの回動ができなくなる。このとき、金属製プレート１１，１２のフック掛止穴１１ｃ，１２ｃと、回動規制部材１４の穴１４ｄとは重なり合い、一つのフック掛止穴を構成し、このフック掛止穴１１ｃ，１２ｃ，１４ｄには、図２に示したように、安全帯のフック３７が挿通される。このようにフック３７が挿通されているとき、回動規制部材１４はピン１５回りに回動することができず、したがって、金属製プレート１１，１２も板状挟持部１４ａ，１４ｂ間に挟持された状態が維持されて回動することができず、吊りボルト３０に固定された状態が確実に維持される。
したがって、図２に示したように、掛止器具１０を吊りボルト３０に取り付け、掛止器具１０のフック掛止穴１１ｃ，１２ｃ，１４ｄに安全帯のフック３７を挿通させれば、たとえ、作業員３２，３３が上向きの作業中に脚立足場３４や脚立３５を踏み外しても、吊りボルト３０に支持されるので、転落事故を防止することができる。
【図面の簡単な説明】
【００１３】
【図１】本発明の掛止器具の施工現場における使用状況を簡略に示した図である。
【図２】吊りボルトに係止させた掛止器具にフックを掛止させた状態を示す斜視図である。
【図３】図１の掛止器具を吊りボルトから取り外し、これを開いた状態で示した図である。
【図４】開かれた状態の掛止器具を上方から見た図である。
【図５】閉じた状態の掛止器具を上方から見た図である。
【符号の説明】
【００１４】
１０  掛止器具
１１  金属製プレート（板体）
１１ａ  溝（凹溝）
１１ｃ  フック掛止穴
１２  金属製プレート（板体）
１２ａ  溝（凹溝）
１２ｃ  フック掛止穴
１３  枢軸
１４  回動規制部材（回動規制手段）
１４ａ，１４ｂ  板状挟持部
１４ｄ  フック掛止穴
３０  吊りボルト
３１  フック
【図１】
2005351399.tif 000003
【図２】
2005351399.tif 000004
【図３】
2005351399.tif 000005
【図４】
2005351399.tif 000006
【図５】
2005351399.tif 000007